【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
電子機器の所定機能を起動させる起動制御装置であって、
前記所定機能を起動させるための起動指示を継続して検出する第１の指示検出手段と、
前記所定機能を停止させるための停止指示を継続して検出する第２の指示検出手段と、
前記第１の指示検出手段によって前記起動指示が継続して検出された第１の時間を計測する第１の計測手段と、
前記第２の指示検出手段によって前記停止指示が継続して検出された第２の時間を計測する第２の計測手段と、
前記第２の計測手段によって計測された前記第２の時間に基づき、所定の起動時間を決定する決定手段と、
前記第１の計測手段によって計測された前記第１の時間が、前記決定手段によって決定された前記所定の起動時間以上であることを条件として、前記所定機能の起動を完了させるよう制御する起動制御手段と、
を備えたことを特徴とする起動制御装置。
【請求項２】
電子機器の所定機能を起動させる起動制御装置であって、
前記所定機能を起動させるための起動指示と、前記所定機能を停止させるための停止指示とを夫々継続して検出する第１の操作子と、
前記第１の操作子によって前記起動指示が継続して検出された第１の時間を計測する第１の計測手段と、
前記第１の操作子によって前記停止指示が継続して検出された第２の時間を計測する第２の計測手段と、
前記第２の計測手段によって計測された前記第２の時間に基づき、所定の起動時間を決定する決定手段と、
前記第１の計測手段によって計測された前記第１の時間が、前記決定手段によって決定された前記所定の起動時間以上であることを条件として、前記所定機能の起動を完了させるよう制御する起動制御手段と、
を備えたことを特徴とする起動制御装置。
【請求項３】
前記決定手段は、前記第２の計測手段によって計測された前記第２の時間を前記所定の起動時間として決定することを特徴とする請求項１又は２記載の起動制御装置。
【請求項４】
前記第２の時間検出手段によって計測される前記第２の時間と所定の第３の時間とを対応付けて記憶する記憶手段を更に備え、
前記決定手段は、前記第２の計測手段によって計測された前記第１の時間に対応付けて前記記憶手段に記憶されている前記所定第３の時間を、前記所定の起動時間として決定することを特徴とする請求項１又は２記載の起動制御装置。
【請求項５】
前記停止指示を継続して検出する複数の第２の操作子を更に備え、
前記第２の計測手段は、前記第１の操作子と前記複数の第２の操作子によって前記停止指示が継続して検出された第２の時間を夫々計測し、
前記決定手段は、前記第２の計測手段によって最後に計測された前記第２の時間に基づき、
前記所定の起動時間を決定することを特徴とする請求項２乃至４いずれか１項記載の起動
制御装置。
【請求項６】
前記所定機能とは電源機能であり、前記第１の操作子は電源ボタンであることを特徴と
する請求項２乃至５いずれか１項記載の起動制御装置。
【請求項７】
電子機器のコンピュータを、
当該電子機器の所定機能を起動させるための起動指示を継続して検出する第１の指示検出手段、
前記所定機能を停止させるための停止指示を継続して検出する第２の指示検出手段、
前記第１の指示検出手段によって前記起動指示が継続して検出された第１の時間を計測する第１の計測手段、
前記第２の指示検出手段によって前記停止指示が継続して検出された第２の時間を計測する第２の計測手段、
前記第２の計測手段によって計測された前記第２の時間に基づき、所定の起動時間を決定する決定手段、
前記第１の計測手段によって計測された前記第１の時間が、前記決定手段によって決定された前記所定の起動時間以上であることを条件として、前記所定機能の起動を完了させるよう制御する起動制御手段、
として機能させることを特徴とする起動制御プログラム。
【請求項８】
電子機器の所定機能を起動させる起動方法であって、
前記所定機能を起動させるための起動指示を継続して検出する第１の指示検出ステップと、
前記所定機能を停止させるための停止指示を継続して検出する第２の指示検出ステップと、
前記第１の指示検出ステップによって前記起動指示が継続して検出された第１の時間を計測する第１の計測ステップと、
前記第２の指示検出ステップによって前記停止指示が継続して検出された第２の時間を計測する第２の計測ステップと、
前記第２の計測ステップによって計測された前記第２の時間に基づき、所定の起動時間を決定する決定ステップと、
前記第１の計測ステップによって計測された前記第１の時間が、前記決定ステップによって決定された前記所定の起動時間以上であることを条件として、前記所定機能の起動を完了させるよう制御する起動制御ステップと、
を含むことを特徴とする起動方法。
【手続補正２】
【補正対象書類名】明細書
【補正対象項目名】０００６
【補正方法】変更
【補正の内容】
【０００６】
前記課題を解決するため請求項１記載の発明に係る起動制御装置にあっては、電子機器の所定機能を起動させる起動制御装置であって、前記所定機能を起動させるための起動指示を継続して検出する第１の指示検出手段と、前記所定機能を停止させるための停止指示を継続して検出する第２の指示検出手段と、前記第１の指示検出手段によって前記起動指示が継続して検出された第１の時間を計測する第１の計測手段と、前記第２の指示検出手段によって前記停止指示が継続して検出された第２の時間を計測する第２の計測手段と、前記第２の計測手段によって計測された前記第２の時間に基づき、所定の起動時間を決定する決定手段と、前記第１の計測手段によって計測された前記第１の時間が、前記決定手段によって決定された前記所定の起動時間以上であることを条件として、前記所定機能の起動を完了させるよう制御する起動制御手段と、を備えたことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、請求項２記載の発明に係る起動制御装置にあっては、電子機器の所定機能を起動させる起動制御装置であって、前記所定機能を起動させるための起動指示と、前記所定機能を停止させるための停止指示とを夫々継続して検出する第１の操作子と、前記第１の操作子によって前記起動指示が継続して検出された第１の時間を計測する第１の計測手段と、前記第１の操作子によって前記停止指示が継続して検出された第２の時間を計測する第２の計測手段と、前記第２の計測手段によって計測された前記第２の時間に基づき、所定の起動時間を決定する決定手段と、前記第１の計測手段によって計測された前記第１の時間が、前記決定手段によって決定された前記所定の起動時間以上であることを条件として、前記所定機能の起動を完了させるよう制御する起動制御手段と、を備えたことを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、請求項３記載の発明に係る起動制御装置にあっては、前記決定手段は、前記第２の計測手段によって計測された前記第２の時間を前記所定の起動時間として決定することを特徴とする。
【手続補正７】
【補正対象書類名】明細書
【補正対象項目名】００１１
【補正方法】変更
【補正の内容】
【００１１】
また、請求項４記載の発明に係る起動制御装置にあっては、前記第２の時間検出手段によって計測される前記第２の時間と所定の第３の時間とを対応付けて記憶する記憶手段を更に備え、前記決定手段は、前記第２の計測手段によって計測された前記第１の時間に対応付けて前記記憶手段に記憶されている前記所定第３の時間を、前記所定の起動時間として決定することを特徴とする。
【手続補正８】
【補正対象書類名】明細書
【補正対象項目名】００１２
【補正方法】変更
【補正の内容】
【００１２】
また、請求項５記載の発明に係る起動制御装置にあっては、前記停止指示を継続して検出する複数の第２の操作子を更に備え、前記第２の計測手段は、前記第１の操作子と前記複数の第２の操作子によって前記停止指示が継続して検出された第２の時間を夫々計測し、
前記決定手段は、前記第２の計測手段によって最後に計測された前記第２の時間に基づき、
前記所定の起動時間を決定する。
【手続補正９】
【補正対象書類名】明細書
【補正対象項目名】００１３
【補正方法】変更
【補正の内容】
【００１３】
また、請求項６記載の発明に係る起動制御装置にあっては、前記所定機能とは電源機能であり、前記第１の操作子は電源ボタンであることを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
また、請求項７記載の発明に係る起動制御プログラムにあっては、電子機器のコンピュータを、当該電子機器の所定機能を起動させるための起動指示を継続して検出する第１の指示検出手段、前記所定機能を停止させるための停止指示を継続して検出する第２の指示検出手段、前記第１の指示検出手段によって前記起動指示が継続して検出された第１の時間を計測する第１の計測手段、前記第２の指示検出手段によって前記停止指示が継続して検出された第２の時間を計測する第２の計測手段、前記第２の計測手段によって計測された前記第２の時間に基づき、所定の起動時間を決定する決定手段、前記第１の計測手段によって計測された前記第１の時間が、前記決定手段によって決定された前記所定の起動時間以上であることを条件として、前記所定機能の起動を完了させるよう制御する起動制御手段、として機能させることを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
また、請求項８記載の発明に係る起動方法にあっては、電子機器の所定機能を起動させる起動方法であって、前記所定機能を起動させるための起動指示を継続して検出する第１の指示検出ステップと、前記所定機能を停止させるための停止指示を継続して検出する第２の指示検出ステップと、前記第１の指示検出ステップによって前記起動指示が継続して検出された第１の時間を計測する第１の計測ステップと、前記第２の指示検出ステップによって前記停止指示が継続して検出された第２の時間を計測する第２の計測ステップと、前記第２の計測ステップによって計測された前記第２の時間に基づき、所定の起動時間を決定する決定ステップと、前記第１の計測ステップによって計測された前記第１の時間が、前記決定ステップによって決定された前記所定の起動時間以上であることを条件として、前記所定機能の起動を完了させるよう制御する起動制御ステップと、を含むことを特徴とする。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
本発明によれば、電子機器が有する所定機能を停止させるための停止指示が継続して検出された時間に応じて、所定の機能を起動させるために要する起動時間を変化させることができる。よって、ユーザにおいて継続して停止指示をなす時間を変化させることにより、電子機器が有する起動制御装置を随時短押しタイプと長押しタイプのいずれにもすることができる。よって、各種機器が有する起動制御装置を当該機器の種類や機器がおかれている環境に応じて短押しタイプと長押しタイプとすることにより、両タイプのデメリットを随時解消することができるとともに、適切なタイムラグを設定することができる。
【手続補正１７】
【補正対象書類名】明細書
【補正対象項目名】００２１
【補正方法】削除
【補正の内容】